(57)【要約】      （修正有）【課題】浮力体をより確実に保持できる救命服を提供する。【解決手段】吊りズボン型の救命服１は、インナー５と、アウター６と、吊りバンド２と、浮力体とを含む。インナー５は、ズボン部５ａ、ならびにズボン部５ａに繋がる胸当て部５ｂおよび背当て部５ｃを有する。アウター６は、インナー５の外側全体を覆うようにインナー５に結合されている。吊りバンド２は、インナー５およびアウター６に結合されている。浮力体は、前側浮力体と、後側浮力体とを有する。前側浮力体は、インナー５の前側部分に収容され、少なくとも胸当て部５ｂからズボン部５ａの膝部の下までの範囲に配置されている。後側浮力体は、インナー５の後側部分に収容され、少なくとも背当て部５ｃに配置されている。【選択図】図１
0003155558.tif 000002
【実用新案登録請求の範囲】
【請求項１】
ズボン部、ならびに前記ズボン部に繋がる胸当て部および背当て部を有するインナーと、
前記インナーの外側全体を覆うように前記インナーに結合されたアウターと、
前記インナーおよびアウターに結合された吊りバンドと、
前記インナーの前側部分に収容され、少なくとも前記胸当て部から前記ズボン部の膝部の下までの範囲に配置された前側浮力体、および前記インナーの後側部分に収容され、少なくとも前記背当て部に配置された後側浮力体を有する浮力体とを含む、吊りズボン型の救命服。
【請求項２】
前記前側浮力体および後側浮力体は、前記前側浮力体の方が前記後側浮力体よりも浮力が大きくなるように形成されている、請求項１記載の吊りズボン型の救命服。
【請求項３】
前記浮力体は、前記胸当て部および背当て部に収容された部分の方が、前記ズボン部に収容された部分よりも浮力が大きくなるように形成されている、請求項１または２記載の吊りズボン型の救命服。
【請求項４】
前記前側浮力体および後側浮力体は、それぞれ、複数枚のシート材により形成されている、請求項１〜３の何れか一項に記載の吊りズボン型の救命服。
【請求項５】
前記インナーおよびアウターの上端縁は、互いの間が密閉されるように結合されており、
前記インナーおよびアウターの裾は、互いの間を流体が流通できるように結合されている、請求項１〜４の何れか一項に記載の吊りズボン型の救命服。
【請求項６】
前記インナーは、撥水性を有する生地によって形成されており、
前記アウターは、防水性および通気性を有する生地によって形成されている、請求項１〜５の何れか一項に記載の吊りズボン型の救命服。
【請求項７】
前記前側浮力体は、前記胸当て部から前記ズボン部の膝部の下まで連続し、前記インナーに結合された前側連続体と、前記胸当て部に形成された袋状の前側収容部に収容された胸用浮力体とを含む、請求項１〜６の何れか一項に記載の吊りズボン型の救命服。
【請求項８】
前記後側浮力体は、少なくとも前記背当て部から前記ズボン部の臀部までの範囲に配置されている、請求項１〜７の何れか一項に記載の吊りズボン型の救命服。
【請求項９】
前記後側浮力体は、前記背当て部から前記ズボン部の臀部まで連続し、前記インナーに結合された後側連続体と、前記背当て部に形成された袋状の後側収容部に収容された背中用浮力体とを含む、請求項８記載の吊りズボン型の救命服。
【考案の詳細な説明】
【技術分野】
【０００１】
この考案は、たとえば海、川、湖や水辺などで使用される救命服に関する。
【背景技術】
【０００２】
ライフジャケットなどの衣服型の救命具が知られている。例えば特許文献１には、浮力体が収容された吊りズボン型の衣服が開示されている。この吊りズボン型の衣服は、ズボン部と、このズボン部に繋がる胸当て部および背当て部とを含む。浮力体は、ズボン部、胸当て部および背当て部の内部にそれぞれ収容されている。
【先行技術文献】
【特許文献】
【０００３】
【特許文献１】特開２００３−２３９１１６号公報
【考案の概要】
【考案が解決しようとする課題】
【０００４】
特許文献１に係る衣服では、浮力体は、ズボン部、胸当て部および背当て部の内部にそれぞれ収容されている。したがって、ズボン部、胸当て部、および背当て部の何れかが破れると、その部分の浮力体が衣服の外に出て外れてしまうおそれがある。むろん、一部の浮力体が外れても救命具としての基本機能が損なわれるわけではないけれども、浮力体の離脱をより確実に防止できれば好ましい。
【０００５】
そこで、この考案の目的は、浮力体をより確実に保持できる救命服を提供することである。
【課題を解決するための手段】
【０００６】
前記目的を達成するための請求項１記載の考案は、ズボン部、ならびに前記ズボン部に繋がる胸当て部および背当て部を有するインナーと、前記インナーの外側全体を覆うように前記インナーに結合されたアウターと、前記インナーおよびアウターに結合された吊りバンドと、前記インナーの前側部分に収容され、少なくとも前記胸当て部から前記ズボン部の膝部の下までの範囲に配置された前側浮力体、および前記インナーの後側部分に収容され、少なくとも前記背当て部に配置された後側浮力体を有する浮力体とを含む、吊りズボン型の救命服である。
【０００７】
この構成によれば、救命服が、インナーおよびアウターによって二重構造に形成されている。着用者に肩に掛けられる吊りバンドは、インナーおよびアウターに結合されている。また、前側浮力体および後側浮力体を有する浮力体は、インナーに収容されている。したがって、たとえばアウターが破れたとしても、浮力体が外に出ることはない。そのため、アウターが破れた場合でも、水中にいる救命服の着用者に大きな浮力を与えることができる。
【０００８】
また、前側浮力体は、少なくともインナーの胸当て部からインナーのズボン部の膝部の下までの範囲に配置されている。すなわち、前側浮力体がインナーの広い範囲に配置されているので、前側浮力体の体積が十分に確保されている。したがって、一定値以上の浮力を前側浮力体に確保しつつ、前側浮力体の厚みを低減することができる。これにより、着用者の着膨れを抑制して、着用者の動きが救命服によって妨げられることを抑制することができる。さらに、前側浮力体がインナーのズボン部の膝部の下まで配置されているから、着用者が膝をつく場合には前側浮力体がクッションとなる。したがって、着用者の膝を保護することができる。
【０００９】
請求項２記載の考案は、前記前側浮力体および後側浮力体は、前記前側浮力体の方が前記後側浮力体よりも浮力が大きくなるように形成されている、請求項１記載の吊りズボン型の救命服である。
この構成によれば、救命服は、水中にいる着用者に対して、当該着用者が仰向け姿勢になるように浮力を与えることができる。これにより、着用者の気道を確保できる。
【００１０】
請求項３記載の考案は、前記浮力体は、前記胸当て部および背当て部に収容された部分の方が、前記ズボン部に収容された部分よりも浮力が大きくなるように形成されている、請求項１または２記載の吊りズボン型の救命服である。
この構成によれば、救命服は、水中にいる着用者に対して、当該着用者の頭が上になるように浮力を与えることができる。したがって、請求項２記載の考案のように、前記前側浮力体および後側浮力体は、前記前側浮力体の方が前記後側浮力体よりも浮力が大きくなるように形成されている場合には、救命服は、水中にいる着用者に対して、仰向け姿勢で当該着用者の頭が上になるように浮力を与えることができる。これにより、着用者の気道を確保できる。
【００１１】
請求項４記載の考案は、前記前側浮力体および後側浮力体は、それぞれ、複数枚のシート材により形成されている、請求項１〜３の何れか一項に記載の吊りズボン型の救命服である。
この構成によれば、シート材の枚数を変更することにより、前側浮力体および後側浮力体の浮力を調整することができる。したがって、浮力の調整が容易である。
【００１２】
請求項５記載の考案は、前記インナーおよびアウターの上端縁は、互いの間が密閉されるように結合されており、前記インナーおよびアウターの裾は、互いの間を流体が流通できるように結合されている、請求項１〜４の何れか一項に記載の吊りズボン型の救命服である。
この構成によれば、インナーおよびアウターの上端縁は、互いの間が密閉されるように結合されている。したがって、たとえば救命服の着用者が水中に落下したとしても、インナーおよびアウターの上部の間から直ぐには空気が排出されず、この空間に空気が保持される。そのため、浮力体からの浮力に加えて、この空気からの浮力が着用者に与えられる。これにより、大きな浮力が保たれる。
【００１３】
一方、インナーおよびアウターの裾は、互いの間を流体が流通できるように結合されている。したがって、たとえば着用者が水中に落下したときには、インナーおよびアウターの上部の間に空気が保持される一方で、インナーおよびアウターの下部の間の空気が、両者の裾の間を通って排出される。そのため、水中にいる着用者には、インナーおよびアウターの上部が上になるような浮力が与えられる。これにより、救命服は、水中にいる着用者に対して、当該着用者の頭が上になるように浮力を与えることができる。また、救命服の着用者が水中から陸に上がると、インナーおよびアウターの裾の間から速やかに排水される。すなわち、救命服の着用者が陸にいるときには、インナーおよびアウターの裾の間から排水されるので、救命服の内部に水が溜まりにくい。
【００１４】
請求項６記載の考案は、前記インナーは、撥水性を有する生地によって形成されており、前記アウターは、防水性および通気性を有する生地によって形成されている、請求項１〜５の何れか一項に記載の吊りズボン型の救命服である。
この構成によれば、アウターによって防水されるので、救命服の着用者およびインナーが濡れることを防止することができる。また、アウターとインナーとの間に水が浸入したとしても、この水は、撥水性を有するインナーによってはじかれるので、着用者が濡れることを防止できる。さらに、アウターとインナーとの間に残ったわずかな水は、着用者の体温によって温められて水蒸気になり、通気性を有するアウターを通して外側に放出される。したがって、アウターとインナーとの間に残った水の表面張力によってアウターとインナーとが密着しないため、着用者が動きにくくなることはない。このように、救命服は、撥水性を有するインナーならびに防水性および通気性を有するアウターによって二重構造に形成されているから、着用者が濡れることを確実に防止することができ、着用者の動きが救命服によって妨げられることを抑制することができる。
【００１５】
請求項７記載の考案は、前記前側浮力体は、前記胸当て部から前記ズボン部の膝部の下まで連続し、前記インナーに結合された前側連続体と、前記胸当て部に形成された袋状の前側収容部に収容された胸用浮力体とを含む、請求項１〜６の何れか一項に記載の吊りズボン型の救命服である。
この構成によれば、前側連続体がインナーに結合されているから、前側連続体が、インナーに対してずれることを防止することができる。また、胸用浮力体が、インナーの胸当て部に形成された袋状の前側収容部に収容されているから、胸用浮力体が、インナーに対して大きくずれることを防止することができる。これにより、救命服から着用者に与えられる浮力のバランスを維持することができる。また、胸用浮力体の体積を変更することにより、水中にいる着用者に対して、当該着用者の頭が上になるような浮力を容易に与えることができる。
【００１６】
請求項８記載の考案は、前記後側浮力体は、少なくとも前記背当て部から前記ズボン部の臀部までの範囲に配置されている、請求項１〜７の何れか一項に記載の吊りズボン型の救命服である。
この構成によれば、後側浮力体がインナーの広い範囲に配置されている。そのため、後側浮力体の体積が十分に確保されている。したがって、一定値以上の浮力を後側浮力体に確保しつつ、後側浮力体の厚みを低減することができる。これにより、着用者の着膨れを抑制して、着用者の動きが救命服によって妨げられることを抑制することができる。さらに、後側浮力体が、インナーのズボン部の臀部に配置されているから、救命服の着用者が座った場合に後側浮力体がクッションとなる。これにより、着用者の臀部を保護することができる。
【００１７】
請求項９記載の考案は、前記後側浮力体は、前記背当て部から前記ズボン部の臀部まで連続し、前記インナーに結合された後側連続体と、前記背当て部に形成された袋状の後側収容部に収容された背中用浮力体とを含む、請求項８記載の吊りズボン型の救命服である。
この構成によれば、後側連続体がインナーに結合されているから、後側連続体が、インナーに対してずれることを防止することができる。また、背中用浮力体が、インナーの背当て部に形成された袋状の後側収容部に収容されているから、背中用浮力体が、インナーに対して大きくずれることを防止することができる。これにより、救命服から着用者に与えられる浮力のバランスを維持することができる。また、背中用浮力体の体積を変更することにより、水中にいる着用者に対して、当該着用者の頭が上になるような浮力を容易に与えることができる。
【図面の簡単な説明】
【００１８】
【図１】本考案の一実施形態に係る救命服の概略構成を説明するための図である。
【図２】本考案の一実施形態に係る救命服に備えられたアウターの外観図である。
【図３】本考案の一実施形態に係る救命服に備えられたインナーの外観図である。
【図４】本考案の一実施形態に係る救命服に備えられた浮力体の構成を説明するためのインナーの透視図である。
【図５】図１に示すＶ−Ｖ線に沿う救命服の断面を模式的に表した図である。
【図６】本考案の他の実施形態に係る浮力体の構成を説明するためのインナーの透視図である。
【図７】本考案の他の実施形態に係る浮力体の構成を説明するためのインナーの透視図である。
【考案を実施するための形態】
【００１９】
以下では、本考案の実施の形態を、添付図面を参照して詳細に説明する。
図１は、本考案の一実施形態に係る救命服１の概略構成を説明するための図である。図１（ａ）は、救命服１を前から見た図であり、図１（ｂ）は、救命服１を３つに分離した図である。
救命服１は、防寒着および防水着としても使用できる吊りズボン型の衣服である。救命服１は、たとえば、乗船者や、釣り人などに着用されるものである。救命服１は、ハイウエストのズボン部１ａと、ズボン部１ａに繋がる胸当て部１ｂおよび背当て部１ｃと、一対の吊りバンド２とを備えている。胸当て部１ｂおよび背当て部１ｃは、それぞれ、たとえば台形状に形成されている。各吊りバンド２は、胸当て部１ｂおよび背当て部１ｃに結合されている。各吊りバンド２は、長手方向に伸縮可能な伸縮ベルト３と、結合および分離可能な一対のジョイント部材４とを含む。各伸縮ベルト３の一端は、一対のジョイント部材４を介して胸当て部１ｂの上端部に結合されている。また、各伸縮ベルト３の他端は、背当て部１ｃの上端部に結合されている。ズボン部１ａを穿いた着用者の肩に一対の吊りバンド２が掛けられることにより、ズボン部１ａが吊り下げられた状態で救命服１が着用される。
【００２０】
また、救命服１は、二重構造に形成されている。より具体的には、救命服１は、筒状のインナー５およびアウター６を備えている。インナー５は、ハイウエストのズボン部５ａと、ズボン部５ａに繋がる台形状の胸当て部５ｂおよび背当て部５ｃとを備えている。同様に、アウター６は、ハイウエストのズボン部６ａと、ズボン部６ａに繋がる台形状の胸当て部６ｂおよび背当て部６ｃとを備えている。インナー５およびアウター６は、概ね同じ形状に形成されている。インナー５の外側は、アウター６によって全体が覆われている。後述するように、インナー５の内部には、浮力体２１（図４参照）が収容されている。浮力体２１は、水中にいる救命服１の着用者に浮力を与える。
【００２１】
図２は、アウター６の外観図である。図２（ａ）は、アウター６を前から見た図であり、図２（ｂ）は、アウター６を後ろから見た図である。
アウター６は、防水性および通気性を有する複数枚の生地によって形成されている。この実施形態では、アウター６は、たとえば、ポリウレタンによって内面がコーティングされたナイロン製の複数枚の生地によって形成されている。アウター６は、背当て部６ｃに設けられたアウタースリット７と、ズボン部６ａに設けられた２つのポケット８とを含む。アウタースリット７は、背当て部６ｃを左右に等分割する位置に配置されており、上下に延びている。アウタースリット７は、背当て部６ｃを貫通している。
【００２２】
また、２つのポケット８は、アウター６の腰部に左右対称に配置されている。図示はしないが、各ポケット８は、複数枚の生地を重ねて縫合することにより形成されている。各ポケット８の入口８ａは、対応するポケット８の右上部または左上部に配置されている。各ポケット８の内部は、各ポケット８の下部に形成された２つの水抜き孔９を介してポケット８の外部に連通している。各ポケット８内に浸入した水は、２つの水抜き孔９から排出される。
【００２３】
また、図示はしないが、アウター６の前側部分は、胸当て部６ｂの上端からズボン部６ａの上部にかけて左右に切り離されている。この切り離された部分には、上下に延びる前立て１０が取り付けられている。前立て１０の内面と、アウター６の外面のうち前立て１０が重なる部分とには、たとえば、ファスナ（線ファスナ）、ボタン、および面ファスナの何れかが取り付けられている。この実施形態では、面ファスナが取り付けられている。これにより、アウター６の前側部分を左右に開いたり、閉じたりすることができる。
【００２４】
また、アウター６には、反射テープ１１と、２つのウエスト調整ベルト１２と、２つの裾巾調整ベルト１３が取り付けられている。反射テープ１１は、胸当て部６ｂの上端部に沿って取り付けられている。２つのウエスト調整ベルト１２は、それぞれ、アウター６の左右の側部に取り付けられている。救命服１のウエストは、２つのウエスト調整ベルト１２によって調整される。また、２つの裾巾調整ベルト１３の一端は、それぞれ、アウター６の左右の裾６ｇの前側部分に縫合されている。各裾巾調整ベルト１３の一端を除く部分は、たとえば面ファスナによって、アウター６の裾６ｇに着脱できるように形成されている。救命服１の裾巾は、アウター６に対する各裾巾調整ベルト１３の着脱位置によって調整される。
【００２５】
図３は、インナー５の外観図である。図３（ａ）は、インナー５を前から見た図であり、図３（ｂ）は、インナー５を後ろから見た図である。
インナー５は、撥水性を有する複数枚の生地によって形成されている。この実施形態では、インナー５は、たとえば、ナイロン製の複数枚の生地によって形成されている。インナー５は、インナー５の前側部分を形成する前側分割体１７と、インナー５の後側部分を形成する後側分割体１８とを含む。前側分割体１７および後側分割体１８は、それぞれ、輪郭形状が概ね等しいシート状に形成されている。前側分割体１７および後側分割体１８は、互いの縁部が重なり合うように配置されている。前側分割体１７および後側分割体１８の縁部は、上端縁および下端縁を除き、互いに縫合されている。これにより、筒状のインナー５が形成されている。
【００２６】
前側分割体１７の上部中央部（左右方向に関する中央部）は、左右に切り離されている。この切り離された部分は、ファスナ（線ファスナ）１９によって結合されている。ファスナ１９は、前側分割体１７の上部を左右に等分割する位置に配置されており、上下に延びている。インナー５における胸当て部５ｂの上端からズボン部５ａの上部までの部分は、ファスナ１９が開かれることにより左右に分離される。
【００２７】
また、後側分割体１８の上部には、インナースリット２０が形成されている。インナースリット２０は、後側分割体１８の上部を左右に等分割する位置に配置されており、上下に延びている。インナースリット２０は、後側分割体１８を貫通している。インナースリット２０は、アウタースリット７と概ね等しい形状に形成されている。インナースリット２０およびアウタースリット７は、前後に重なるように配置されている。インナー５の内部は、インナースリット２０およびアウタースリット７を介して、救命服１の外部に連通している。これにより、救命服１の通気性が高められている。
【００２８】
図４は、浮力体２１の構成を説明するためのインナー５の透視図である。図４（ａ）は、インナー５を前から見た図であり、図４（ｂ）は、インナー５を後ろから見た図である。
救命服１は、インナー５に収容された浮力体２１を備えている。浮力体２１は、インナー５の前側部分である前側分割体１７に収容された前側浮力体２２と、インナー５の後側部分である後側分割体１８に収容された後側浮力体２３とを含む。前側浮力体２２は、胸当て部５ｂからズボン部５ａの膝部５ｄの下までの範囲に配置されている。また、後側浮力体２３は、背当て部５ｃからズボン部５ａの臀部５eまでの範囲に配置されている。
【００２９】
前側浮力体２２は、胸当て部５ｂからズボン部５ａの膝部５ｄの下まで連続する２つの前側連続体２４と、胸当て部５ｂに収容された２つの胸用浮力体２５とを含む。２つの前側連続体２４は、ファスナ１９を間に挟んで左右対称に配置されている。同様に、２つの胸用浮力体２５は、ファスナ１９を間に挟んで左右対称に配置されている。各前側連続体２４は、胸当て部５ｂからズボン部５ａの膝部５ｄの下までの範囲が２つの前側連続体２４によって概ね埋まるように形成されている。また、各胸用浮力体２５は、胸当て部５ｂが２つの胸用浮力体２５によって概ね埋まるように形成されている。
【００３０】
また、後側浮力体２３は、背当て部５ｃからズボン部５ａの臀部５eまで連続する後側連続体２６と、背当て部５ｃに収容された２つの背中用浮力体２７とを含む。２つの背中用浮力体２７は、インナースリット２０を間に挟んで左右対称に配置されている。各背中用浮力体２７は、背当て部５ｃが２つの背中用浮力体２７によって概ね埋まるように形成されている。また、後側連続体２６は、背当て部５ｃからズボン部５ａの臀部５eまでの範囲が後側連続体２６によって概ね埋まるように形成されている。
【００３１】
前側連続体２４、胸用浮力体２５、後側連続体２６、および背中用浮力体２７は、それぞれ、可撓性を有する複数枚のシート材２８（図５参照）によって形成されている。各シート材２８は、たとえば、発泡材や多孔質材によって形成される。この実施形態では、各シート材２８は、たとえば、発砲ポリエチレンによって形成される。各シート材２８の厚みは、たとえば２ｍｍである。前側連続体２４、胸用浮力体２５、後側連続体２６、および背中用浮力体２７の厚みは、シート材２８の枚数によって調整される。シート材２８の枚数は、たとえば、前側連続体２４が２枚、胸用浮力体２５が１３枚、後側連続体２６が２枚、背中用浮力体２７が７枚である。これらの枚数は、必要とされる浮力の大きさや、浮力のバランス等に応じて適宜調整される。このように、シート材２８の枚数を変更することにより、前側連続体２４、胸用浮力体２５、後側連続体２６、および背中用浮力体２７の浮力を容易に調整することができる。
【００３２】
前側浮力体２２および後側浮力体２３は、前側浮力体２２の方が後側浮力体２３よりも浮力が大きくなるように形成されている。さらに、浮力体２１は、胸当て部５ｂおよび背当て部５ｃに収容された部分の方が、ズボン部５ａに収容された部分よりも浮力が大きくなるように形成されている。より具体的には、このような浮力のバランスになるように、シート材２８の面積および枚数が設定されている。また、このように浮力のバランスが設定されることにより、救命服１は、水中にいる着用者を仰向け姿勢で頭が上になるように浮遊させることができる。これにより、着用者の気道を確保することができる。
【００３３】
図５は、図１に示すＶ−Ｖ線に沿う救命服１の断面を模式的に表した図である。
インナー５の前側分割体１７は、前側分割体１７と同じ輪郭形状に形成された２枚の前側ベース生地２９を有している。２枚の前側ベース生地２９は、互いの縁部が重なり合うように配置されている。２枚の前側ベース生地２９は、縁部同士が縫合されて袋状に形成されている。前側浮力体２２に設けられた２つの前側連続体２４は、２枚の前側ベース生地２９の間に配置されている。さらに、２つの前側連続体２４は、上下に間隔を空けた複数箇所で、糸３０によって２枚の前側ベース生地２９に縫合されている（図３および図５を併せて参照）。したがって、２つの前側連続体２４は、袋状に結合された２つの前側ベース生地２９内に収容された状態で、２枚の前側ベース生地２９に結合されている。
【００３４】
また、後側分割体１８は、後側分割体１８と同じ輪郭形状に形成された２枚の後側ベース生地３１を有している。図示はしないが、各後側ベース生地３１には、インナースリット２０（図３参照）を形成するための貫通孔が形成されている。２枚の後側ベース生地３１は、互いの縁部が重なり合うように配置されている。２枚の後側ベース生地３１は、縁部同士が縫合されて袋状に形成されている。後側浮力体２３に設けられた後側連続体２６は、２枚の後側ベース生地３１の間に配置されている。さらに、後側連続体２６は、上下に間隔を空けた複数箇所で、糸３２によって２枚の後側ベース生地３１に縫合されている（図３および図５を併せて参照）。したがって、後側連続体２６は、袋状に結合された２つの後側ベース生地３１内に収容された状態で、２枚の後側ベース生地３１に結合されている。
【００３５】
また、前側分割体１７は、２枚の前側ベース生地２９の上部に結合された胸用生地３３をさらに有している。この実施形態では、胸用生地３３がたとえば２枚設けられている（図３参照）。２枚の胸用生地３３は、ファスナ１９を間に挟んで左右対称に配置されている。各胸用生地３３の縁部は、外側の前側ベース生地２９の上部に縫合されている。各胸用生地３３は、外側の前側ベース生地２９と協働して袋状の前側収容部３４を形成している。前側浮力体２２に設けられた２つ胸用浮力体２５は、それぞれ、２つの前側収容部３４に収容されている。各前側収容部３４は、胸用浮力体２５が殆ど隙間なく収容されるように形成されている。
【００３６】
また、後側分割体１８は、２枚の後側ベース生地３１の上部に結合された背中用生地３５をさらに有している。この実施形態では、背中用生地３５の中央部には、インナースリット２０を形成するための貫通孔が形成されている（図３参照）。背中用生地３５の縁部は、外側の後側ベース生地３１の上部に縫合されている。背中用生地３５は、外側の後側ベース生地３１と協働して袋状の後側収容部３６を形成している。後側浮力体２３に設けられた２つ背中用浮力体２７は、後側収容部３６に収容されている。後側収容部３６は、２つ背中用浮力体２７が殆ど隙間なく収容されるように形成されている。
【００３７】
アウター６は、インナー５の外側全体を覆っている。インナー５およびアウター６の上端縁５ｆ、６ｆは、互いの間が密閉されるように縫合されている。また、インナー５およびアウター６の裾５ｇ、６ｇは、互いの間を流体が流通できるように結合されている。この実施形態では、たとえば、メッシュ３７が、インナー５およびアウター６の裾５ｇ、６ｇに結合されている。インナー５およびアウター６の裾５ｇ、６ｇは、メッシュ３７を介して結合されている。水や空気などの流体は、メッシュ３７を介して、インナー５およびアウター６の裾５ｇ、６ｇの間を流通できる。
【００３８】
以上のように本実施形態では、防寒機能および防水機能が救命服１に備えられている。したがって、救命服１を着用すれば、たとえば、防寒着および救命胴衣の両方を着用する必要がない。そのため、着用者の着膨れを抑制することができる。これにより、着用者の動きが妨げられることを防止することができる。したがって、防寒着および救命胴衣の両方を着用している場合に比べて、着用者の作業効率を向上させることができる。
【００３９】
また、本実施形態では、救命服１は、インナー５およびアウター６によって二重構造に形成されている。浮力体２１は、インナー５に収容されている。したがって、たとえばアウター６が破れたとしても、浮力体２１が外に出ることはない。そのため、アウター６が破れた場合でも、救命服１は、水中にいる着用者に確実に大きな浮力を与えることができる。しかも、救命服１が二重構造に形成されているから、高い防寒機能および防水機能が救命服１に備えられている。
【００４０】
また、本実施形態では、前側浮力体２２が、胸当て部５ｂからズボン部５ａの膝部５ｄの下までの範囲に配置されている。すなわち、前側浮力体２２がインナー５の広い範囲に配置されているので、前側浮力体２２の体積が十分に確保されている。したがって、一定値以上の浮力を前側浮力体２２に確保しつつ、前側浮力体２２の厚みを低減することができる。これにより、着用者の着膨れを抑制して、着用者の動きが妨げられることを抑制することができる。さらに、前側浮力体２２がズボン部５ａの膝部５ｄの下まで配置されているから、着用者が膝をつく場合には前側浮力体２２がクッションとなる。したがって、着用者の膝を保護することができる。
【００４１】
また、本実施形態では、後側浮力体２３は、背当て部５ｃからズボン部５ａの臀部５eまでの範囲に配置されている。すなわち、後側浮力体２３がインナー５の広い範囲に配置されており、後側浮力体２３の体積が十分に確保されている。したがって、一定値以上の浮力を後側浮力体２３に確保しつつ、後側浮力体２３の厚みを低減することができる。これにより、着用者の着膨れを抑制して、着用者の動きが妨げられることを抑制することができる。さらに、後側浮力体２３が、ズボン部５ａの臀部５eに配置されているから、救命服１の着用者が座る場合に後側浮力体２３がクッションとなる。これにより、着用者の臀部を保護することができる。具体的には、たとえば、救命服１を着用した釣り人が磯などの凹凸のある地面に座る場合でも、着用者の臀部が痛くなることを防止することができる。さらに、救命服１の着用者は、後側浮力体２３を介して座るから、冬場などの気温が低い場合でも着用者の臀部が冷えることを防止することができる。
【００４２】
また、本実施形態では、インナー５およびアウター６の上端縁５ｆ、６ｆは、互いの間が密閉されるように結合されている。したがって、たとえば救命服１の着用者が水中に落下したとしても、インナー５およびアウター６の上部の間から直ぐには空気が排出されず、この空間に空気が保持される。そのため、浮力体２１からの浮力に加えて、この空気からの浮力が着用者に与えられる。これにより、大きな浮力が保たれる。
【００４３】
また、本実施形態では、インナー５およびアウター６の裾５ｇ、６ｇは、互いの間を流体が流通できるように結合されている。したがって、たとえば着用者が水中に落下したときには、インナー５およびアウター６の上部の間に空気が保持される一方で、インナー５およびアウター６の下部の間の空気が、両者の裾５ｇ、６ｇの間を通って排出される。そのため、水中にいる着用者には、インナー５およびアウター６の上部が上になるような浮力が与えられる。これにより、救命服１は、水中にいる着用者に対して、着用者の頭が上になるように浮力を与えることができる。したがって、着用者の気道の確保が容易になる。さらに、救命服１の着用者が水中から陸に上がると、インナー５およびアウター６の裾５ｇ、６ｇの間から速やかに排水される。すなわち、救命服１の着用者が陸にいるときには、インナー５およびアウター６の裾５ｇ、６ｇの間から排水されるので、救命服１の内部に水が溜まった状態にならない。
【００４４】
また、本実施形態では、インナー５は、撥水性を有する生地によって形成されており、アウター６は、防水性および通気性を有する生地によって形成されている。したがって、救命服１の着用者およびインナー５は、アウター６によって防水されて濡れることが防止される。また、アウター６とインナー５との間に水が浸入したとしても、この水は、撥水性を有するインナー５によってはじかれるので、着用者が濡れることが防止される。さらに、アウター６とインナー５との間に残ったわずかな水は、着用者の体温によって温められて水蒸気になり、通気性を有するアウター６を通して外側に放出される。したがって、アウター６とインナー５との間に残った水の表面張力によってアウター６とインナー５とが密着しないため、着用者が動きにくくなることはない。このように、救命服１は、撥水性を有するインナー５ならびに防水性および通気性を有するアウター６とによって二重構造に形成されているから、着用者が濡れることを確実に防止することができ、着用者の動きが救命服１によって妨げられることを抑制することができる。
【００４５】
また、本実施形態では、前側浮力体２２に設けられた２つの前側連続体２４がインナー５に結合されている。したがって、各前側連続体２４が、インナー５に対してずれることを防止することができる。また、前側浮力体２２に設けられた２つの胸用浮力体２５が、胸当て部５ｂに形成された袋状の前側収容部３４に収容されている。したがって、各胸用浮力体２５が、インナー５に対して大きくずれることを防止することができる。これにより、救命服１から着用者に与えられる浮力のバランスを維持することができる。また、胸用浮力体２５の体積を変更することにより、水中にいる着用者に対して、当該着用者の頭が上になるような浮力を容易に与えることができる。
【００４６】
同様に、本実施形態では、後側浮力体２３に設けられた後側連続体２６がインナー５に結合されている。したがって、後側連続体２６が、インナー５に対してずれることを防止することができる。また、後側浮力体２３に設けられた２つの背中用浮力体２７が、背当て部５ｃに形成された袋状の後側収容部３６に収容されている。したがって、各背中用浮力体２７が、インナー５に対して大きくずれることを防止することができる。これにより、救命服１から着用者に与えられる浮力のバランスを維持することができる。また、背中用浮力体２７の体積を変更することにより、水中にいる着用者に対して、当該着用者の頭が上になるような浮力を容易に与えることができる。
【００４７】
また、本実施形態では、救命服１の背当て部１ｃに、背当て部１ｃを貫通するスリット（インナースリット２０およびアウタースリット７）が形成されている。したがって、たとえば救命服１の着用者が前屈みになった場合には、着用者の姿勢に合わせて背当て部１ｃの中央部が左右に広がる。そのため、背当て部１ｃが着用者の動きを妨げることが抑制されている。さらに、各吊りバンド２には、伸縮性が備えられている。したがって、各吊りバンド２は、着用者の動きに応じて伸縮する。そのため、各吊りバンド２が着用者の動きを妨げることが抑制されている。これにより、救命服１の着用者は、救命服１によって動きを妨げられることなく効率的に作業を行うことができる。
【００４８】
この考案の実施の形態の説明は以上であるが、この考案は、前述の実施形態の内容に限定されるものではなく、請求項記載の範囲内において種々の変更が可能である。たとえば、前述の実施形態では、インナー５およびアウター６が縫合されて容易に分離できないように結合されている場合について説明した。しかし、インナー５およびアウター６は、たとえば、ファスナ（線ファスナ）、ボタン、面ファスナによって容易に分離できるように結合されていてもよい。この場合、アウター６をインナー５から取り外して洗濯することができるので、救命服１全体を洗濯する場合に比べて、アウター６の洗濯が楽である。
【００４９】
また、前述の実施形態では、インナー５の胸当て部５ｂからズボン部５ａの膝部５ｄの下まで連続する２つの前側連続体２４が前側浮力体２２に設けられている場合について説明した。しかし、前側浮力体２２は、胸当て部５ｂからズボン部５ａの膝部５ｄの下までの範囲に配置されていればよい。すなわち、２つの前側連続体２４に代えて、複数の分割体が胸当て部５ｂからズボン部５ａの膝部５ｄの下までの範囲に配置されていてもよい。具体的には、たとえば図６に示すように、前側分割体１７の縫い目１７ａに合わせて上下に分割された複数の前側分割浮力体３８が、左右に二列で並んで、胸当て部５ｂからズボン部５ａの膝部５ｄの下の範囲に配置されていてもよい。
【００５０】
同様に、前述の実施形態では、インナー５の背当て部５ｃからズボン部５ａの臀部５eまで連続する後側連続体２６が後側浮力体２３に設けられている場合について説明した。しかし、後側浮力体２３は、背当て部５ｃからズボン部５ａの臀部５eまでの範囲に配置されていればよい。すなわち、２つの後側連続体２６に代えて、複数の分割体が背当て部５ｃからズボン部５ａの臀部５eまでの範囲に配置されていてもよい。具体的には、たとえば図７に示すように、後側分割体１８の縫い目１８ａに合わせて分割された複数の後側分割浮力体３９が、背当て部５ｃからズボン部５ａの臀部５eまでの範囲に配置されていてもよい。
【００５１】
また、前述の実施形態では、インナー５の前側部分が、ファスナ１９によって容易に分離できるように結合されている場合について説明した。しかし、インナー５の前側部分は、ファスナ１９に限らず、ボタンや面ファスナなどのその他の手段によって容易に分離できるように結合されていてもよい。同様に、救命服１において面ファスナによって結合されている部分は、ボタンやファスナ（線ファスナ）などのその他の手段によって容易に分離できるように結合されていてもよい。また、救命服１において縫合により結合されている部分は、接着などのその他の方法により結合されていてもよい。
【００５２】
その他、実用新案登録請求の範囲に記載された事項の範囲で種々の設計変更を施すことが可能である。
【符号の説明】
【００５３】
１      救命服
２      吊りバンド
５      インナー
５ａ    ズボン部
５ｂ    胸当て部
５ｃ    背当て部
５ｄ    インナーの膝部
５ｅ    インナーの臀部
５ｆ    インナーの上端縁
５ｇ    インナーの裾
６      アウター
６ｆ    アウターの上端縁
６ｇ    アウターの裾
１７    前側分割体（インナーの前側部分）
１８    後側分割体（インナーの後側部分）
２１    浮力体
２２    前側浮力体
２３    後側浮力体
２４    前側連続体
２５    胸用浮力体
２６    後側連続体
２７    背中用浮力体
２８    シート材
３４    前側収容部
３６    後側収容部
【図１】
0003155558.tif 000003
【図２】
0003155558.tif 000004
【図３】
0003155558.tif 000005
【図４】
0003155558.tif 000006
【図５】
0003155558.tif 000007
【図６】
0003155558.tif 000008
【図７】
0003155558.tif 000009